(57)【要約】      （修正有）【課題】材質の変化性、選択性がなく、また全体の重量とコストがかかる欠点を解決するパーテーション結合構造を提供する。【解決手段】パーテーション結合構造は、少なくとも二つのパーテーション１０を含む。パーテーションの側端は少なくとも一つの合わせ部材２０の取付けによって互いに連結される。そして、パーテーションは外枠１１を有し、外枠の両側にそれぞれ少なくとも一つの磁石１２が設けられ、該磁石によって合わせ部材と磁気吸着され、合わせ部材は少なくとも二つの磁気吸着できるコ字型固定ベース２１によって互いに連接して構成され、該固定ベースは背板と、二つの側板と、開口２１３とを含む。【選択図】図２
0003224168.tif 000002
【実用新案登録請求の範囲】
【請求項１】
少なくとも二つのパーテーションを含むパーテーション結合構造であって、
前記パーテーションの側端は少なくとも一つの合わせ部材の取付けによって互いに連結され、そして、
前記パーテーションは、外枠を含み、前記外枠の両側にそれぞれ少なくとも一つの磁石が設けられ、前記磁石によって前記合わせ部材と磁気吸着され、
前記合わせ部材は、少なくとも二つの磁気吸着できるコ字型固定ベースによって互いに連接して構成され、前記固定ベースは背板と、二つの側板と、開口とを有し、前記固定ベースの連接によって、前記各固定ベースの前記開口が異なる方位に向かわせるため、前記開口に前記パーテーションの外枠がそれぞれ挿し込まれた後、前記磁石によって前記固定ベースに対して磁気吸着し、前記挿し込みと吸着した後の位置決めにより、前記パーテーションが組み立てられた後、互いに牽引して位置決めできる上、前記外枠の材質に限られることなく、すべて適用できることを特徴とするパーテーション結合構造。
【請求項２】
前記合わせ部材は、二つの前記固定ベースを有し、二つの前記固定ベースはその背板によって互いに連結され、二つの前記固定ベースの前記開口にパーテーションがそれぞれ挿し込まれて磁気吸着することで、二つの前記パーテーションが直線状で結合できることを特徴とする請求項１のパーテーション結合構造。
【請求項３】
前記合わせ部材は、二つの前記固定ベースを有し、前記固定ベースは前記背板ともう一つの固定ベースの側板によって互いに連結され、二つの前記固定ベースの前記開口にパーテーションがそれぞれ挿し込まれて磁気吸着することで、二つの前記パーテーションが直角状で結合できることを特徴とする請求項１のパーテーション結合構造。
【請求項４】
前記合わせ部材は、三つの前記固定ベースを有し、二つの前記固定ベースはその背板によって互いに連結された後、さらに二つの前記固定ベースの側板はもう一つの固定ベースがその背板によって結合することを共同に提供し、三つの前記固定ベースの前記開口にパーテーションがそれぞれ挿し込まれて磁気吸着することで、三つの前記パーテーションがＴ形状で結合できることを特徴とする請求項１のパーテーション結合構造。
【請求項５】
前記合わせ部材は、四つの前記固定ベースを有することで、前記固定ベースは前記パーテーションを連帯して十字状で結合できることを特徴とする請求項１のパーテーション結合構造。
【請求項６】
前記外枠の側辺の上、下にそれぞれ前記磁石が設けられることを特徴とする請求項１のパーテーション結合構造。
【考案の詳細な説明】
【技術分野】
【０００１】
本考案は、パーテーションの構造に関し、特にパーテーション結合構造に関する。
【背景技術】
【０００２】
従来のパーテーションの多くは、図１０に示すように、主に該パーテーション（３０）の外枠（３１）の両側にそれぞれ少なくとも一つの磁石（４０）が設けられる。上述外枠（３１）は上述磁石（４０）によって吸着される金属枠であり、上述外枠（３１）の提供により、隣り合うもう一つのパーテーション（３０）が上述磁石（４０）によって磁気吸着されることで（図１１を参照）、上述パーテーション（３０）は組み立てた後に互いに牽引されて位置決めする。
【０００３】
しかし、上述の従来構造は実際に応用する時は以下の問題点が存在する。上述パーテーション（３０）は上述磁石（４０）を利用して上述外枠（３１）に対して吸着することで、組み立てた後に互いに牽引されて位置決めする。該外枠（３１）は磁気吸着できる金属だけで作られる場合、材質の変化性、選択性がなく、また全体の重量とコストがかかる問題がある。
【０００４】
従って、上述のような従来のパーテーションにおける欠点について研究改良することは実に関係業界が努力して解決すべき目標であるため、本考案者はこれを機に創作の意思を起こし、長年の経験により設計し、多方面に追究しながら試作品をつくり、また多数回にわたる修正改良の結果、本考案を得た。
【考案の概要】
【考案が解決しようとする課題】
【０００５】
従来技術に存在する上述の欠点について解決し、パーテーション結合構造を提供する。
【課題を解決するための手段】
【０００６】
パーテーション結合構造は、少なくとも二つのパーテーションを含む。上述パーテーションの側端は少なくとも一つの合わせ部材の取付けによって互いに連結される。そして、パーテーションは外枠があり、上述外枠の両側にそれぞれ少なくとも一つの磁石が設けられることで、該磁石によって上述合わせ部材と磁気吸着される。合わせ部材は少なくとも二つの磁気吸着できるコ字型固定ベースによって互いに連接して構成されることで、該固定ベースは背板と、二つの側板と、開口とを含む。上述固定ベースの連接によって、上述各固定ベースの上述開口が異なる方位に向かわせるため、該開口に上述パーテーションの外枠がそれぞれ挿し込まれた後、上述磁石によって該固定ベースに対して磁気吸着する。該挿し込みと吸着した後の位置決めにより、上述パーテーションが組み立てられた後、互いに牽引されて位置決めできる上、上述外枠の材質に限られることなく、すべて適用できる。これによって、パーテーション結合構造が得られる。
【０００７】
本考案のパーテーション結合構造は、上述パーテーションは上述合わせ部材によって磁気吸着され、外枠本体によるものではないため、上述外枠は各種材質で設けられ、金属の外枠だけに限られない上述パーテーションは、よりうまく変化する可能性があるために、消費者に多様化の選択肢を提供できる。上述パーテーションの外枠は非金属の材質で作られる場合、全体の重量とコストも有効に低減できる。
【図面の簡単な説明】
【０００８】
【図１】図１は、本考案の第一実施例を示す立体組合図である。
【図２】図２は、本考案の第一実施例を示す立体分解図である。
【図３】図３は、本考案の第一実施例の合わせ部材を示す立体拡大図である。
【図４】図４は、本考案の第一実施例を示す組合断面図である。
【図５】図５は、本考案の第二実施例を示す立体組合図である。
【図６】図６は、本考案の第二実施例を示す組合断面図である。
【図７】図７は、本考案の第三実施例を示す立体組合図である。
【図８】図８は、本考案の第三実施例を示す組合断面図である。
【図９】図９は、本考案の第四実施例を示す立体組合図である。
【図１０】図１０は、従来構造を示す図である。
【図１１】図１１は、従来構造の磁気吸着状態を示す図である。
【考案を実施するための形態】
【０００９】
まず、図１から図４を参照されたい。パーテーション結合構造は、少なくとも二つのパーテーション（１０）を含む。上述パーテーション（１０）の側端は少なくとも一つの合わせ部材（２０）の取付けによって互いに連結される。そして、パーテーション（１０）は外枠（１１）があり、上述外枠（１１）の両側にそれぞれ少なくとも一つの磁石（１２）が設けられ、該磁石（１２）によって上述合わせ部材（２０）と磁気吸着され、合わせ部材（２０）は少なくとも二つの磁気吸着できる（金属製の）コ字型固定ベース（２１）によって互いに連接して構成されることで、該固定ベース（２１）は背板（２１１）と、二つの側板（２１２）と、開口（２１３）とを含む。上述固定ベース（２１）の連接によって、上述各固定ベース（２１）の上述開口（２１３）が異なる方位に向かわせるため、該開口（２１３）に上述パーテーション（１０）の外枠（１１）がそれぞれ挿し込まれた後、上述磁石（１２）によって該固定ベース（２１）に対して磁気吸着する。該挿し込みと吸着した後の位置決めにより、上述パーテーション（１０）が組み立てられた後、互いに牽引されて位置決めできる上、上述外枠（１１）の材質に限られることなく、すべて適用できる。
【００１０】
上述合わせ部材（２０）は二つの上述固定ベース（２１）を有し、該二つの固定ベース（２１）はその背板（２１１）によって互いに連結され、該二つの固定ベース（２１）の上述開口（２１３）にパーテーション（１０）がそれぞれ挿し込まれて磁気吸着することで、上述二つのパーテーション（１０）が直線状で結合できる（同時図１から図４を参照されたい）。
【００１１】
上述合わせ部材（２０）は二つの上述固定ベース（２１）を有し、該固定ベース（２１）は上述背板（２１１）ともう一つの固定ベース（２１）の側板（２１２）によって互いに連結され、該二つの固定ベース（２１）の上述開口（２１３）によってパーテーション（１０）がそれぞれ挿し込まれて磁気吸着することで、上述二つのパーテーション（１０）が直角状で結合できる（同時図５と図６を参照されたい）。
【００１２】
上述合わせ部材（２０）は三つの上述固定ベース（２１）を有し、該二つの固定ベース（２１）はその背板（２１１）によって互いに連結された後、さらに該二つの固定ベース（２１）の側板（２１２）によってもう一つの固定ベース（２１）がその背板（２１１）と結合することを共同に提供し、該三つの固定ベース（２１）の上述開口（２１３）にパーテーション（１０）がそれぞれ挿し込まれて磁気吸着することで、上述三つのパーテーション（１０）がＴ形状で結合できる（同時図７と図８を参照されたい）。
【００１３】
上述合わせ部材（２０）は四つの上述固定ベース（２１）を有することで、上述固定ベース（２１）は上述パーテーション（１０）を連帯して十字状で結合できる（同時に図９を参照されたい）。
【００１４】
上述外枠（１１）の側辺の上、下にそれぞれ上述磁石（１２）が設けられることで、該二つの磁石（１２）が上述合わせ部材（２０）にそれぞれ合わせて使用される。
【００１５】
上述具体的な実施例の構造により、以下の効果が得られる。上述パーテーション（１０）は上述合わせ部材（２０）によって磁気吸着され、外枠（１１）本体によるものではないため、上述外枠（１１）は各種材質で設けられ、金属の外枠（１１）だけに限らされない上述パーテーション（１０）は、よりいい変化する可能性があるために、消費者に多様化の選択肢を提供できる。上述パーテーション（１０）の外枠（１１）は非金属の材質で作られる場合、全体の重量とコストも有効に低減できる。
【００１６】
以上は、本考案に係る実施例の一部に過ぎないため、本考案の実施範囲を制限するものではない。即ち、本実用新案登録請求の範囲内で行われる変化、修飾なども本考案の範囲に属すべきである。
【符号の説明】
【００１７】
本考案：
１０              パーテーション
１１              外枠
１２              磁石
２０              合わせ部材
２１              固定ベース
２１１            背板
２１２            側板
２１３            開口
従来：
３０              パーテーション
３１              外枠
４０              磁石
【図１】
0003224168.tif 000003
【図２】
0003224168.tif 000004
【図３】
0003224168.tif 000005
【図４】
0003224168.tif 000006
【図５】
0003224168.tif 000007
【図６】
0003224168.tif 000008
【図７】
0003224168.tif 000009
【図８】
0003224168.tif 000010
【図９】
0003224168.tif 000011
【図１０】
0003224168.tif 000012
【図１１】
0003224168.tif 000013